(57)【特許請求の範囲】
【請求項１】
腕時計型の、時計（１）の為のケース（２）において、時計仕掛けのムーブメントを収納するように構成された中部（３）、後部（４）、時計バンドに取り付ける為の第１及び第２取付け部材（９，８，４４，４９）を備え、前記後部（４）は、少なくとも一つの開いた位置と一つの閉じた位置との間で旋回可能であり、前記時計を置き時計として使用する為に前記開いた位置で支持体を形成できるように、前記中部（３）と機械的に接続されている前記ケース（２）であって、
前記第１取付け部材（９）は、懐中時計として前記時計を使用する為に鎖の取付けをも可能にするように配置され、
前記第２取付け部材（８，４４，４９）は、少なくとも一つの凹部（４４）を備え、凹部（４４）は、前記中部（３）の周辺かつ前記後部（４）近くで配置され、一つの時計バンド端部（６）は、前記後部の前記開いた位置で前記凹部に挿入可能であり、前記後部の前記閉じた位置で前記後部により固定可能であることを特徴とする、ケース。
【請求項２】
前記後部（４）は、ヒンジ（８）により前記中部（３）と機械的に接続され、前記凹部（４４）は、前記ヒンジに隣接していることを特徴とする、請求項１に記載のケース。
【請求項３】
前記後部（４）に固定された固定部分（４９）は、前記時計バンド端部（６）との相互作用が可能になるように、前記後部の前記閉じた位置で、前記凹部（４４）に置かれることを特徴とする、請求項１又は２に記載のケース。
【請求項４】
前記第１取付け部材（９）は、少なくとも一つの制御部材（２９）を備え、前記制御部材（２９）は、前記時計バンド又は前記鎖を引き離す為にユーザにより作動される、請求項１〜３のいずれか一項に記載のケース。
【請求項５】
前記ケースは、前記後部（４）を固定する為の固定装置（８，５４，５６，５７）を備え、前記固定装置（８，５４，５６，５７）は、前記後部（４）を前記中部（３）に関して少なくとも一つの好ましい開いた角度位置で固定するように配置されていることを特徴とする、請求項１〜４のいずれか一項に記載のケース。
【請求項６】
前記固定装置（８，５４，５６，５７）は、少なくとも一つの雄型固定部材（５４）と少なくとも一つの雌型固定部材（５７）とを備え、前記雄型部材（５４）及び前記雌型部材（５７）は、前記好ましい角度位置で互いに相互作用するように配置され、これらの内の一方が前記中部（３）に固定され、これらの内の他方が前記後部（４）に固定されていることを特徴とする、請求項５に記載のケース。
【請求項７】
前記ケースは、追加固定部材（１３，１４）を備え、前記追加固定部材（１３，１４）は、前記中部（３）に対して前記後部（４）の前記閉じた位置の安定性を確実にするように配置されていることを特徴とする、請求項１〜６のいずれか一項に記載のケース。
【請求項８】
ケース（２）を備える時計において、前記ケースは、時計仕掛けのムーブメントを収納するように構成された中部（３）、後部（４）、時計バンドに取り付ける為の第１及び第２取付け部材（９，８，４４，４９）を備え、前記後部（４）は、少なくとも一つの開いた位置と一つの閉じた位置との間で旋回可能であり、かつ、前記時計を置き時計として使用する為に前記開いた位置で支持体を形成できるように、前記中部（３）に接続されている、時計であって、
前記第１取付け部材（９）は、懐中時計として前記時計を使用する為に鎖の取付けをも可能にするように配置され、
前記第２取付け部材（８，４４，４９）は、少なくとも一つの凹部（４４）を備え、前記凹部（４４）は、前記中部（３）の周辺かつ前記後部（４）の近くで配置され、一つの時計バンド端部（６）は、前記後部の前記開いた位置で前記凹部に挿入可能であり、前記後部の前記閉じた位置で前記後部により固定可能であることを特徴とする、時計。
【請求項９】
前記後部（４）は、ヒンジ（８）により前記中部（３）と機械的に接続され、前記凹部（４４）は、前記ヒンジに隣接していることを特徴とする、請求項８に記載の時計。
【請求項１０】
前記後部（４）に固定された固定部分（４９）は、前記時計バンド端部（６）との相互作用が可能になるように、前記後部の前記閉じた位置で、前記凹部（４４）に置かれることを特徴とする、請求項８又は９に記載の時計。
【請求項１１】
前記第１取付け部材（９）は、少なくとも一つの制御部材（２９）を備え、前記制御部材（２９）は、前記時計バンド又は前記鎖を引き離す為にユーザにより作動される、請求項８〜１０のいずれか一項に記載の時計。
【請求項１２】
前記ケースは、前記後部（４）を固定する為の固定装置（８，５４，５６，５７）を備え、前記固定装置（８，５４，５６，５７）は、前記後部（４）を前記中部（３）に関して少なくとも一つの好ましい開いた角度位置で固定するように配置されていることを特徴とする、請求項８〜１１のいずれか一項に記載の時計。
【請求項１３】
前記固定装置（８，５４，５６，５７）は、少なくとも一つの雄型固定部材（５４）と少なくとも一つの雌型固定部材（５７）とを備え、前記雄型部材（５４）及び前記雌型部材（５７）は、前記好ましい角度位置で互いに相互作用するように配置され、これらの内の一方が前記中部（３）に固定され、これらの内の他方が前記後部（４）に固定されていることを特徴とする、請求項１２に記載の時計。
【請求項１４】
アセンブリにおいて、
請求項８〜１３のいずれか一項に記載の時計と、
前記第１及び第２取付け部材（９，８，４４，４９）とそれぞれが相互作用するように適合された第１及び第２端部（６）を有する時計バンドと、
を備えるアセンブリであって、
前記時計バンドの前記第２端部（６）が少なくとも一つの差し込み部（４５）を備え、前記差し込み部（４５）が前記凹部（４４）の内側に挿入されるように適合されていることを特徴とする、アセンブリ。
【請求項１５】
前記差し込み部（４５）は、周囲溝（４６）を有し、前記周囲溝（４６）は、前記後部（４）が閉じた位置にあるとき、前記後部（４）の固定部分（４９）と相互作用するように配置されていることを特徴とする、請求項１４に記載のアセンブリ。
【請求項１６】
前記時計（１）の前記第１取付け部材（９）と相互作用するように一端（１０）が配置された鎖を備える、請求項１４又は１５に記載のアセンブリ。
【発明の詳細な説明】
【技術分野】
【０００１】
[0001]本発明は、ブレスレットに取り付ける為の後部の第１及び第２取付け部材を特に備える、腕時計型の時計用ケースに関する。
【０００２】
[0002]より詳細に、本発明は、道具を使用する必要がなく、ケースを取り外せる時計の生産の為の、そのような種類のケースに関する。
【０００３】
[0003]特に、本発明に従うケースは、その後部が機械的に中部に接続されているので、少なくとも一つの開けた位置と閉じた位置との間で旋回可能であり、置き時計として時計を使用する為に、開いた位置でベアリング面を確実に固定することができる。そのため、時計バンドを簡単に取り外せるという利点がある。
【従来技術の説明】
【０００４】
[0004]同一の時計バンド取付け部材をケースが両側に有する腕時計であって、時計バンド取付け部材を交換する為に時計バンドを引き離す少なくとも一つのボタンをオプションで備えるものは、既に従来技術に開示されている。
【０００５】
[0005]特許出願ＧＢ２２９７２３６Ａは、その一例を提供する。
【０００６】
[0006]さらに、特許ＣＨ２０３４７９は、中部が支持体に装着されており、支持体に対して旋回できるように、時計を置き時計として使用することができる腕時計を記載する。
【０００７】
[0007]同様に、実用新案ＤＥ８１０３０５９Ｕは、腕時計、置き時計、懐中時計として使用可能な時計を記載する。このため、２部構成フレームは、ケースの周りに備えられ、一部は、時計の３部構成に関連付けられた異なる３地点間を旋回できる。また、フレームは、時計バンド又は鎖を取り付ける為の部材を支持している。
【０００８】
[0008]この時計の構造は、時計に特別な外観を与えるので、実質的にエレガンスを欠き、あまり最高級の時計生産に適したものにならない。
【発明の概要】
【０００９】
[0009]本発明は、簡単に時計バンドを取り外すことができるばかりか、その概観を損なうことなく腕時計として以外の他の方式で使用可能な時計を提案することにより、従来技術から知られた時計及びケースの代替え案を提案することを第１の目的とする。
【００１０】
[0010]したがって、本発明は、特に、前述した種類のケースに関し、対応する時計を懐中時計として使用する為に第１取付け部材が鎖の取付けを許容すること、第２取付け部材が中部の周辺かつ後部近くに配置された少なくとも一つの凹部を備え、後部が開いた位置で一つの時計バンド端部が中に挿入可能になり、後部が閉じた位置で後部により固定可能になる。
【００１１】
[0011]これらの特徴により、時計は、携帯者の活動に関わらず、あるいは、どのように携帯者が着用しても、携帯者に付き従うことができる。これは、その多目的な特徴が、その外観を損なうことなく得られるからである。
【００１２】
[0012]有利なことに、後部は、ヒンジにより、都合良く中部に装着可能であり、凹部がそのヒンジに隣接している。また、時計バンド端部と相互に作用できるように、後部の閉じた位置で、凹部に置かれる後部に固定される固定部分を備えることが可能である。
【００１３】
[0013]さらに、中部に関して少なくとも一つの好ましい開いた角度位置で後部を固定するように配置される後部を固定する為の固定装置を備えることができる。そのような固定装置は、少なくとも一つの雄型固定部材と、少なくとも一つの雌型固定部材を備えてもよく、これらの部材は、好ましい角度位置で互いに相互作用するように配置され、一方は、中部に固定され、他方は後部に固定される。
【００１４】
[0014]また、ケースは、中部に対して後部の閉じた位置の安定性を保証するように配置される追加の固定部材を備えてもよい。
【００１５】
[0015]好ましい実施形態によると、本発明は、前述した特徴に合致するケースを備える時計と、そのような時計を備えるアセンブリと、更に、上記ケースの第１取付け部材、第２取付け部材のそれぞれと相互作用するように適合された第１端部、第２端部を有する時計バンドであって、時計バンドの第１端部及び第２端部が中部の凹部の内側に挿入されるように適合された少なくとも一つの差し込み部を備えた時計バンドとに関する。さらに、上記アセンブリは、有利なことに、鎖を備え、その端部は、上記時計の第１取付け部材と相互作用するように配置されている。
【００１６】
【図面の簡単な説明】
【００１７】
[0016]本発明の他の特徴及び利点は、限定しない実施例として示された添付図面を参照し、以下の好ましい実施形態の詳細な説明を読むことにより、明らかになるであろう。
【図１】図１は、本発明の好ましい実施形態に従う時計の簡単な概観を示す斜視図である。
【図２】図２は、図１の時計の第１構造の詳細を簡単に示す断面図である。
【図３】図３は、第１構成における、図１の時計の第２構造の詳細を簡単に示す断面図である。
【図４】図４は、第２構成における、図１の時計の第２構造の詳細を簡単に示す断面図である。
【図５】図５は、図１の時計の第３構造の詳細を簡単に示す断面図である。
【００１８】
【発明の実施形態】
【００１９】
[0022]図１は、本発明の好ましい実施形態に従う時計１の簡単な概観を示す斜視図である。より詳細に、時計１は、腕時計として、懐中時計として、或いは、置き時計として使用されてもよい。
【００２０】
[0023]そのため、時計１は、中部３，後部４，ガラス５を備えるケース２を備える。
【００２１】
[0024]後部４は、より詳細に以下で説明されるように、中部３で旋回するように装着され、一方では、支持体を形成することにより時計を置き時計としての使用を許容し、他方では、一鎖の時計バンドの端部６を固定させる。
【００２２】
[0025]限定されない例示として、時計バンド鎖の端部６は、図１の６時、すなわち、後部４を中部３に接続するヒンジ８に隣接した位置に示されている。
【００２３】
[0026]ヒンジの反対側、すなわち、正午の位置で、中部３は、湾曲部９を支え、湾曲部９は、第２時計バンド鎖（図示せず）の取付けを許容するように、或いは、その代わりに、（端部１０だけが図で見られる）鎖の取付けを可能にし、時計１を懐中時計として使用できるように構成されている。
【００２４】
[0027]湾曲部９は、在来の時刻設定クラウン１２と同軸に装着されている。
【００２５】
[0028]また、図１から、ケース２が後部４を中部３に対して固定する為の固定部材を有すること、後部４が歯状部３を備えること、歯状部３がバネで装着されボタン１４により作動可能であることが明らかである。歯状部１３は、中部の、適合された固定面（図示せず）と相互作用するように構成されている。
【００２６】
[0029]さらに、都合良く、指状部（図示せず）を備えることが可能であり、指状部は、中部で予め圧縮応力が与えられたバネに対して接して配置され、それは、ボタン１４が作動されるときに係合を解除する為に後部４の受容面１５に圧力をかけ、このように、ユーザが後部を掴むことを容易にする為に配置される。
【００２７】
[0030]図２は、図１の時計の第１構造、より詳細には湾曲部９の詳細を簡単に示す断面図である。
【００２８】
[0031]湾曲部９は、２つのハウジング２０を備え、これらは、鎖の端部１０を受けるように構成され、時計バンド鎖の端部は、端部１０に関して同様の方式で形成されている。
【００２９】
[0032]端部１０は、２つの角状部２２を備え、２つの角状部２２は、ハウジング２０内に挿入され、各々が、ピボットピン２３を備える。
【００３０】
[0033]湾曲部９の各側部は、ソケット２４を支え、その第１の穴２５は、対応するハウジング２０に向き合いつつ持ち上がっている。端部１０がハウジング２０の中に挿入されるとき、湾曲部９内に配置された傾斜面２６との相互作用により、ピボットピンは最初に互いに押し戻される。ピボットピンは、ソケットに入り湾曲部９で端部１０を固定する為に、ソケットの第１の穴２５に向き合いながら到来すると、それぞれのバネ２８の作用の影響で、互いに引き離される。
【００３１】
[0034]ソケット２４は、更に、第２の穴３０の出口に対して突き出るように配置されたボタン２９を各々が支えている。各ボタンは、対応するソケットの内側に伸びるステム３３を支えるヘッド３２を備える（ヘッド３２は、この場合は荒玉で提供されているが、これに限定されるものではない）。
【００３２】
[0035]３つのバネ３５は、各ボタンのヘッド３２と、対応するソケットのベアリング面３６との間に配置され、ボタンをソケットの外に押し戻す為に役立つ力をボタンに及ぼす。都合の良いことに、ベアリング面３６は、さら穴３７を有し、さら穴３７は、対応するバネ端部の良好な半径方向の保持を確実にするように適合されている。
【００３３】
[0036]保持ワッシャ３８は、ベアリング面３６の側部でステム３３に固定され、ボタン２９が対応するソケット内に保持されることを確実にする為に、その反対側にはバネ３５が位置している。
【００３４】
[0037]各ステム３３は、その端部４０がピボットピン２３の近くに位置するように一定の長さを有し、ボタンが静止状態のとき、すなわち、対応するソケットに関して最も遠い位置にあるとき、ピボットピン２３と結合される
[0038]したがって、バネ３５の力に対してユーザがボタン２９を作動させるとき、ボタン２９は互いに向かって移動し、それらのステム３３がピボットピン２３と接触し、ピボットピンのバネ２８の力に対向して、それらを互いに向けて押し出す。好ましくは、ボタンの行程は、実質的にピボット部分の長さに一致し、ピボットピンが静止状態のとき、対応するピボットピンから突き出るように置かれている。
【００３５】
[0039]そのため、これらのボタン２９にユーザが同時に圧力を加えると、端部１０を引き離すことができ、時計を腕時計から懐中時計へ、更に、その逆、或いは、腕時計又は懐中時計から置き時計へと切り替えることができる。
【００３６】
[0040]都合の良いことに、板ばね４２は、湾曲部９の端部に置かれているので、ボタン２９が作動されるとき、端部１０に作用して端部を左右対称に押し戻す。
【００３７】
[0041]図３及び図４は、第１及び第２の代表的な構成において、或いは後部の開いた位置及び閉じた位置において、ケース２の厚さ方向における、図１の時計の中部及び後部間で使用される機械的接続、特にヒンジ８の簡略化された断面図を示す。
【００３８】
[0042]これらの図から、中部３が凹部４４を有すること、凹部４４がヒンジ８に隣接し、時計バンド鎖の端部６、より詳細には、端部６に固定された差し込み部４５を受けるように構成されていることが分かる。
【００３９】
[0043]差し込み部４５は、全体的な形状が円筒になっており、その周囲には環状溝４６が配置されている。
【００４０】
[0044]後部４が開いた位置（図３）にあるとき、差し込み部４５を凹部に係合することができる。
【００４１】
[0045]固定部材４７は、この場合はネジ４８により後部に装着されているが、環状溝４６の形状と実質的に相互に補い合う形状を備えた固定部分４９を有する。
【００４２】
[0046]そのため、後部が閉じた位置で後部が中部に対して折り畳まれるとき（図４）、固定部分４９は、溝４６に係合されて差し込み部４５を保持、或いは同様に、結合される時計バンド鎖の差し込み部４５を保持する。
【００４３】
[0047]例示されているように、好ましい実施形態において、追加の固定された後部５０は、後部４が開いているとき、ケース２の内側を保護する為に設けられている。固定された後部と中部との間に置かれるシールは、対応するアセンブリが密閉されることを特に確実にする。また、ヒンジ８は、区別せずに、中部３上あるいは固定された後部５０上に装着可能である。
【００４４】
[0048]図５は、ケース２の中央面に平行な平面に沿った、ヒンジ８を備えるケース部分の簡略化された断面図を示す。
【００４５】
[0049]ケースへの時計バンドの取付け安定性を改善する為に、固定部材４７が２つの固定部分４９を備え、これらの固定部分４９が一つの時計バンド端部の２つの差し込み部４５と相互作用するように構成されていることに注意されたい。
【００４６】
[0050]さらに、図５（及び部分的に図４）から、本発明の好ましい実施形態に従うケース２も後部４の追加固定装置を備え、追加固定装置は、中部３に関して少なくとも一つの好ましい開いた角度位置で後部４を固定するように配置されていることが明らかである。この固定装置は、置き時計として時計１を使用するのに特に適した角度を、後部と中部との間で確実に固定することを可能にする。有利なことに、この角度は、概略６０度でもよい。
【００４７】
[0051]この固定装置は、少なくとも一つの雄型固定部材と、少なくとも一つの雌型固定部材とを備え、前記部材は、好ましい角度位置で、互いに相互作用するように配置され、一方は中部に固定され、他方は後部に固定される。
【００４８】
[0052]より詳細に、固定部材４７は、後部に固定され、２つの球状固定部材５４を支え、球状固定部材５４は、互いに向き合って置かれ、雄型固定部材を形成する。さらに、中部は位置決め要素５６を支え、位置決め要素５６は、２つの穴５７を有し、２つの穴５７は、追加固定装置の雌型部材を形成する為に、球状固定部材５４と相互作用するように構成されている。
【００４９】
[0053]そのため、図５に示されるのは、中部３に関して後部４の好ましい開いた位置に対応する構成である。この構成において、球５８は、これらが結合されるバネ５９により及ぼされる力の影響下で、穴５７の中に突き出るように配置されている。
【００５０】
[0054]もちろん、中部に関して後部の開いた位置の安定性を確実にする為に、代わりに或いは追加で、ヒンジ８の２つの部分の間に僅かな摩擦を与えることは可能である。しかしながら、前述したように、固定部材の実施例は、ヒンジの２つの部分の間の摩擦を可能な限り限定する一方、対応する時計の認められる品質レベルを高めることが可能である。
【００５１】
[0055]前述した説明は、限定されない例示として特定の実施形態を説明するものであり、本発明は、例えば、ケース２，湾曲部９，後部の固定装置、或いは他の時計バンド端部６，鎖端部１０の為に特に例示・説明された形状のような、ちょうど説明された一定の特定の特徴の実施例に限定されるものではない。
【００５２】
[0056]特に、当業者は、この開示内容の内容を当業者独自の要件に適合すること、更に、時計の構造が本発明の特徴に適合する時計を生産することに特別な困難性を見出すことはなく、ケースにおける時計バンドを保持し、或いは、例えば、ケースに時計バンドを保持する為に２つの差し込み部４５を使用すること、中部に対して後部の好ましい開いた位置を確実に固定する為に２つの固定部材を使用することは不要である。もちろん、本発明の内容から逸脱することなく、好ましい位置を確実に固定する為に、単一球式固定部材または切り込みを画成することを可能にする他の同等の装置を実装することも可能である。同様に、表示として例示された実施形態は、ボタンの各々に収納される３つのバネを備えるが、当業者独自の要件に従って、特に、本発明の概念から逸脱することなく、ボタンの寸法、ボタンに必要な圧力の力という観点で、これらのバネの数を変更することは当業者にとって明らかである。
【００５３】
[0057]有利なことに、本発明に従う時計の如何なる構成から他の構成への移行は、非常に簡単であり、道具の使用を要することなく、実行可能である。
【図１】
0005550057.tif 000002
【図２】
0005550057.tif 000003
【図３】
0005550057.tif 000004
【図４】
0005550057.tif 000005
【図５】
0005550057.tif 000006